【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
窓ガラスの１つの表面の大部分にわたって、特に主要視野（Ａ）にわたって延在する抵抗加熱被覆物（２）を備え、該抵抗加熱被覆物（２）は少なくとも間接的に少なくとも２つの母線（４、５）に電気的に接続され、その結果、２つの母線の間に使用電圧を印加するときに、母線の間に電流が流れ、前記加熱被覆物（２）における加熱領域を加熱し、前記加熱領域が、少なくとも１つの母線（４）と直接的に接触する少なくとも１つの半抵抗領域（６）を備え、該半抵抗領域（６）は、細い長手方向のワイヤの形態で作製された導電ストランド（４６）を含み、導電ストランド（４６）のオーム抵抗が、加熱被覆物（２）のオーム抵抗より低い、透明な窓ガラスであって、少なくとも１つの導電ストランド（４６）が前記半抵抗領域（６）と電気接触する横断方向の導電構造（４９）を含むことを特徴とする、透明な窓ガラス（１）。
【請求項２】
前記横断方向の導電構造（４９）が、前記母線（４）から最も遠い導電ストランド（４６）の該当する端部に位置決めされることを特徴とする、請求項１に記載の窓ガラス（１）。
【請求項３】
前記横断方向の導電構造（４９）が、複数の導電ストランド（４６）と電気接触状態にあることを特徴とする、請求項１または２に記載の窓ガラス（１）。
【請求項４】
前記半抵抗領域（６）が、複数の横断方向の導電構造（４９）を含むことを特徴とする、請求項１、２または３に記載の窓ガラス（１）。
【請求項５】
１つまたは複数の横断方向の導電構造（４９）が、加熱被覆物の下で、加熱被覆物（２）を保持する基板の上に配置されることを特徴とする、請求項１から４のいずれか一項に記載の窓ガラス（１）。
【請求項６】
１つまたは複数の横断方向の導電構造（４９）が、加熱被覆物の上で、加熱被覆物（２）を保持する基板の上に配置されることを特徴とする、請求項１から５のいずれか一項に記載の窓ガラス（１）。
【請求項７】
１つまたは複数の横断方向の導電構造（４９）が、前記窓ガラスの接着シート（１３）の上に配置されることを特徴とする、請求項１から６のいずれか一項に記載の窓ガラス（１）。
【請求項８】
１つまたは複数の横断方向の導電構造（４９）が、１つまたは複数の線および／または１つまたは複数のバンドの形態にあることを特徴とする、請求項１から７のいずれか一項に記載の窓ガラス（１）。
【請求項９】
１つまたは複数の線および／または１つまたは複数のバンドが、窓ガラスの表面上の投影で見たときに直線であることを特徴とする、請求項８に記載の窓ガラス（１）。
【請求項１０】
１つまたは複数の線および／または１つまたは複数のバンドが、窓ガラスの表面上の投影で見たときに曲線であることを特徴とする、請求項８に記載の窓ガラス（１）。
【請求項１１】
１つまたは複数の横断方向の導電構造（４９）が、１つまたは複数の導電ストランド（４６）の全体的な長手方向投影に対して本質的に直交方向に向けられることを特徴とする、請求項１から１０のいずれか一項に記載の窓ガラス（１）。
【請求項１２】
１つまたは複数の横断方向の導電構造（４９）が、窓ガラス（１）の主要視野（Ａ）の外側でのみ加熱領域内で延在することを特徴とする、請求項１から１１のいずれか一項に記載の窓ガラス（１）。
【請求項１３】
１つまたは複数の導電ストランド（４６）および１つまたは複数の横断方向の導電構造（４９）が、窓ガラスの表面上の投影で測定したときに０．５ｍｍより大きい厚さまたは幅を有さず、好ましくは、０．３ｍｍ以下であること特徴とする、請求項１から１２のいずれか一項に記載の窓ガラス（１）。
【請求項１４】
横断方向の導電構造（４９）が、それらの間に均一な間隙をおいて配置されることを特徴とする、請求項１から１３のいずれか一項に記載の窓ガラス（１）。
【請求項１５】
横断方向の導電構造（４９）がすべて、同一の長さで作製されることを特徴とする、請求項１から１４のいずれか一項に記載の窓ガラス（１）。
【請求項１６】
１つまたは複数の横断方向の導電構造が、１つまたは複数のまたはすべての母線（４、５）の長手方向投影の一部の上にのみ配置されることを特徴とする、請求項１から１５のいずれか一項に記載の窓ガラス（１）。
【請求項１７】
１つまたは複数の横断方向の導電構造（４９）を含む１つまたは複数の領域（６、６’）が、最大で風防ガラスの標準化された主要視野Ａの境界まで延在することを特徴とする、車両風防ガラスの形態である請求項１から１６のいずれか一項に記載の窓ガラス（１）。
【請求項１８】
加熱被覆物（２）が、全体の視野における分割線（２４）によって分割され、これらの分割線が、加熱被覆物を電流経路に分割することを特徴とする、請求項１から１７のいずれか一項に記載の窓ガラス（１）。
【請求項１９】
加熱被覆物（２）が、１つまたは複数の半抵抗領域（６）の少なくとも一部においてより大きな導電率を有し、この部分が、横断方向の導電構造（４９）を有する１つまたは複数の導電ストランド（４６）を含む部分に実質的に対応することを特徴とする、請求項１から１８のいずれか一項に記載の窓ガラス（１）。
【請求項２０】
前記窓ガラスが、複合窓ガラスであり、ガラスおよび／またはプラスチックから構成される２つの剛性パネル（１１、１２）と、主要面を介して前記パネルを接続する接着シート（１３）とを備え、加熱被覆物（２）、母線（４、５）、導電ストランド（４６）が含まれ、１つまたは複数の横断方向の導電構造（４９）が、複合窓ガラス内にある１つまたは複数の表面の上に配置される、請求項１から１９のいずれか一項に記載の窓ガラス（１）。
【請求項２１】
接着シート（１３）が、１つまたは複数の半抵抗領域（６）の一部に導電され、この部分が、横断方向の導電構造（４９）を有する１つまたは複数の導電ストランド（４６）を含む部分に実質的に対応することを特徴とする、請求項１から２０のいずれか一項に記載の窓ガラス（１）。
【請求項２２】
前記窓ガラスが、少なくとも２つの母線（４、５）を介して電流が供給されるときに、１つまたは複数の導電ストランド（４６）と接触状態にない加熱領域の該当する部分、特に窓ガラス（１）の主要視野（Ａ）における電流が、１つまたは複数の横断方向の導電構造（４９）の存在にもかかわらず、１つまたは複数の導電ストランド（４６）の全体的な長手方向投影に対して本質的に平行に流れることを特徴とする、請求項１から２１のいずれか一項に記載の窓ガラス（１）の加熱方法。
【請求項２３】
加熱被覆物（２）が、全体の視野において加熱被覆物（２）を電流路に分割する分割線（２４）によって分割されるときに、前記分割線（２４）が主要視野Ａにおいて電流を集めることを特徴とする、請求項２２に記載の方法。
【請求項２４】
１つまたは複数の横断方向の導電構造（４９）および任意に導電ストランド（４６）の少なくとも一部が、加熱被覆物（２）が堆積された後に基板の上に印刷されることを特徴とする、請求項１から２１のいずれか一項に記載の窓ガラス（１）を作製するための方法。
【請求項２５】
１つまたは複数の横断方向の導電構造（４９）および任意に導電ストランド（４６）の少なくとも一部が、加熱被覆物（２）が堆積される前に基板の上に印刷されることを特徴とする、請求項１から２１のいずれか一項に記載の窓ガラス（１）を作製するための方法および特に請求項２４に記載の作製方法。
【請求項２６】
１つまたは複数の横断方向の導電構造（４９）が、スクリーン印刷またはインクジェット印刷によって作製されることを特徴とする、請求項２４または２５に記載の窓ガラス（１）を作製するための方法。
【請求項２７】
１つまたは複数の横断方向の導電構造（４９）および任意に導電ストランド（４６）の少なくとも一部が、前記半抵抗領域（６）に電気的に接続され、任意に少なくとも個別の接点でロウ付けによって加熱被覆物（２）に直接的に接続されることを特徴とする、請求項２４から２６のいずれか一項に記載の窓ガラス（１）を作製するための方法。
【請求項２８】
接点（４７）が、機械的作用、特に１つまたは複数の横断方向の導電構造（４９）および／または導電ストランド（４６）の少なくとも一部で、少なくとも１つの誘電保護層（２６’）を貫通することを意図する振動によって作製されることを特徴とする、請求項１から２１のいずれか一項に記載の窓ガラス（１）を作製するための方法および特に請求項２４から２７のいずれか一項に記載の作製方法。